【手続補正書】
【提出日】平成17年10月14日(2005.10.14)
【手続補正１】
【補正対象書類名】明細書
【補正対象項目名】全文
【補正方法】変更
【補正の内容】
【書類名】      明細書
【発明の名称】  遊技機のデータ伝送システム
【特許請求の範囲】
【請求項１】  遊技機の主制御基板から複数の補助制御基板にデータを伝送する遊技機のデータ伝送システムであって、
前記主制御基板は前記データの送信用の送信回路を備え、前記複数の補助制御基板は前記データの受信用の受信回路を備え、
前記送信回路と前記複数の補助制御基板の前記受信回路とを１つの伝送路で接続し、
前記各受信回路は該各受信回路を備えた補助制御基板に対応した前記データのみを受信する
遊技機のデータ伝送システム。
【請求項２】  請求項１に記載の遊技機のデータ伝送システムであって、
前記データに前記複数の補助制御基板のそれぞれに対応したアドレスを付加し、
前記各受信回路は該各受信回路を備えた補助制御基板に対応したアドレスが付加された前記データのみを受信する
データ伝送システム。
【請求項３】  請求項１に記載の遊技機のデータ伝送システムであって、
主制御基板から複数の補助制御基板にデータを伝送する遊技機のデータ伝送システムであって、
前記主制御基板が、前記送信回路に加えて、出力選択回路を備え、
該出力選択回路は、前記複数の補助制御基板の各受信回路と、前記複数の補助制御基板の受信回路毎に個別の伝送路で接続され、
前記出力選択回路はイネーブル信号を出力し、前記複数の補助制御基板の各受信回路は前記イネーブル信号に従って前記データを受信する
データ伝送システム。
【発明の詳細な説明】
【０００１】
【発明の属する技術分野】
本発明は遊技機のデータ伝送システムに関し、特に、簡単な構成により主制御基板から複数の補助制御基板にデータを伝送する技術に関する。
【０００２】
【従来の技術】
遊技機は主制御基板と該主制御基板からデジタルデータを受信する複数の補助制御基板を備えている。該複数の補助制御基板は、例えばランプを制御する補助制御基板、変動図柄表示装置を制御する補助制御基板、音声出力を制御する補助制御基板等である。
【０００３】
図４はこの場合の従来例を示している。図４において、パチンコ機等の遊技機の主制御基板７０は、図示しない主制御回路とともに該主制御回路からのデータ送信用送信回路７１，７２，７３を備えている。
送信回路７１は例えば８ビット伝送回路７１ａにより補助制御基板としての「制御基板Ａ」８１の受信回路８１ｒに接続され、送信回路７２は８ビット伝送回路７２ａにより補助制御基板としての「制御基板Ｂ」８２の受信回路８２ｒに接続されている。更に、送信回路７３は８ビット伝送回路７３ａにより補助制御基板としての「制御基板Ｃ」８３の受信回路８３ｒに接続されている。
【０００４】
【発明が解決しようとする課題】
しかし、上述の従来例では、主制御基板７０から補助制御基板８１〜８３への数分の通信のために、３つの送信回路７１，７２，７３及び３つの８ビット伝送回路７１ａ〜７３ａが必要になる。
そのため、遊技機の主制御基板７０が大きくなり、スペースに制約がある遊技機にこの主制御基板７０を設置すると、遊技機を構成する他の機器の設置スペースを確保することが難しく、設計に苦慮するという問題がある。
本発明はこのような点に鑑みてなされたものであり、その課題は、主制御基板から複数の補助制御基板に送信する伝送路の構成を簡単にすることができる遊技機のデータ伝送システムを提供することである。
【０００５】
【課題を解決するための手段】
上記課題を解決するため、本願の第１の発明は、遊技機の主制御基板から複数の補助制御基板にデータを伝送する遊技機のデータ伝送システムであって、前記主制御基板は前記データの送信用の送信回路を備え、前記複数の補助制御基板は前記データの受信用の受信回路を備え、前記送信回路と前記複数の補助制御基板の前記受信回路とを１つの伝送路で接続し、前記各受信回路は該各受信回路を備えた補助制御基板に対応した前記データのみを受信する遊技機のデータ伝送システムである。
【０００６】
上記第１の発明の構成により、前記各受信回路は該各受信回路を備えた補助制御基板に対応した伝送データのみを取り込んで受信するので、前記主制御基板の送信回路と前記複数の補助制御基板の受信回路とを１つの伝送路で接続することができる。
【０００７】
更に、第２の発明の構成は、請求項１に記載の遊技機のデータ伝送システムであって、前記データに前記複数の補助制御基板のそれぞれに対応したアドレスを付加し、前記各受信回路は該各受信回路を備えた補助制御基板に対応したアドレスが付加された前記データのみを受信するデータ伝送システムである。
【０００８】
上記第２の発明の構成により、伝送データに前記複数の補助制御基板のそれぞれに対応したアドレスを付加し、前記各補助制御基板の受信回路は該各受信回路を備えた補助制御基板に対応したアドレスが付加された伝送データのみを取り込んで受信するので、前記主制御基板の送信回路と前記複数の補助制御基板の受信回路とを１つの伝送路で接続することができる。
【０００９】
更に、第３の発明の構成は、請求項１に記載の遊技機のデータ伝送システムであって、主制御基板から複数の補助制御基板にデータを伝送する遊技機のデータ伝送システムであって、前記主制御基板が、前記送信回路に加えて、出力選択回路を備え、該出力選択回路は、前記複数の補助制御基板の各受信回路と、前記複数の補助制御基板の受信回路毎に個別の伝送路で接続され、前記出力選択回路はイネーブル信号を出力し、前記複数の補助制御基板の各受信回路は前記イネーブル信号に従って前記データを受信するデータ伝送システムである。
【００１０】
上記第３の発明の構成により、主制御基板の送信回路は複数の補助制御基板の受信回路とデータ伝送路で接続され、主制御基板の出力選択回路は前記複数の補助制御基板の受信回路と該受信回路毎に個別の伝送路で接続され、前記出力選択回路はイネーブル信号を出力し、前記補助制御基板の受信回路は前記イネーブル信号に従って伝送データを受信するので、前記主制御基板の送信回路は前記複数の補助制御基板の受信回路と１つのデータ伝送路で接続することができる。
【００１１】
【発明の実施の形態】
以下、本発明における実施の形態を図面に基づいて説明する。図１は本願発明の第１の実施の形態を示し、図２は該第１の実施の形態に使用される伝送データのフォーマットを示している。
図１及び図２において、パチンコ機等の遊技機は主制御基板１０と該主制御基板からデジタルデータを受信する複数の補助制御基板（例えばランプを制御する「制御基板Ａ」２１、変動図柄表示装置を制御する「制御基板Ｂ」２２、音声出力を制御する「制御基板Ｃ」２３等）を備えている。
【００１２】
主制御基板１０は、図示しない主制御回路及び該主制御回路から送信するデータを受ける送信回路１１を備えている。
「制御基板Ａ」２１は、受信回路２１ｒ及び該受信回路２１ｒから受信データを受けてランプを制御する、図示しない補助制御回路を備えている。「制御基板Ｂ」２２は、受信回路２２ｒ及び該受信回路２２ｒから受信データを受けて変動図柄表示装置を制御する、図示しない補助制御回路を備えている。「制御基板Ｃ」２３は、受信回路２３ｒ及び該受信回路２３ｒから受信データを受けて音声出力を制御する、図示しない補助制御回路を備えている。
【００１３】
送信回路１１は８ビット伝送回路１２により「制御基板Ａ」２１の受信回路２１ｒ，「制御基板Ｂ」２２の受信回路２２ｒ及び「制御基板Ｃ」２３の受信回路２３ｒに接続されている。
伝送データのフォーマット３０は、アドレス３１と伝送データ３２とを組み合わせたものである。アドレス３１は、例えば「制御基板Ａ」２１に対しては「０１Ｈ」であり、「制御基板Ｂ」２２に対しては「０２Ｈ」であり、「制御基板Ｃ」２３に対しては「０３Ｈ」である。
【００１４】
以上の構成により、伝送データ３２に前記複数の補助制御基板２１，２２，２３のそれぞれに対応したアドレス３１を付加し、前記各補助制御基板２１，２２，２３の受信回路２１ｒ，２２ｒ，２３ｒは該各受信回路２１ｒ，２２ｒ，２３ｒを備えた補助制御基板２１，２２，２３に対応したアドレス３１が付加された伝送データ３２のみを取り込んで受信するので、前記主制御基板１０の送信回路１１と前記複数の補助制御基板２１，２２，２３の受信回路２１ｒ，２２ｒ，２３ｒとを１つのデータ伝送路１２で接続することができる。
【００１５】
図３は本願の第２の実施の形態を示している。図３において、主制御基板４０は前記主制御基板１０に対応し、「制御基板Ａ」６１は前記「制御基板Ａ」２１に対応し、「制御基板Ｂ」６２は前記「制御基板Ｂ」２２に対応し、「制御基板Ｃ」６３は前記「制御基板Ｃ」２３に対応している。
【００１６】
主制御基板４０は図示しない主制御回路、該主制御回路から送信するデータを受ける送信回路４１及び出力選択回路５１を具備している。送信回路４１は８ビットデータ伝送路４２により「制御基板Ａ」６１の受信回路６１ｒ、「制御基板Ｂ」６２の受信回路６２ｒ及び「制御基板Ｃ」６３の受信回路６３ｒに接続されている。
出力選択回路５１は、伝送路５２により受信回路６１ｒに接続され、更に伝送路５３により受信回路６２ｒに接続され、更に伝送路５４により受信回路６３ｒに接続されている。
出力選択回路５１は、通信イネーブル信号を各受信回路６１ｒ，６２ｒ，６３ｒに出力している。通信イネーブル信号は、「１」又は「０」であり、例えば「１」の時は受信回路６１ｒ，６２ｒ，６３ｒは伝送データを受信でき、「０」の時は受信回路６１ｒ，６２ｒ，６３ｒは伝送データを受信できない。
【００１７】
以上の構成により、主制御基板４０の送信回路４１は複数の補助制御基板６１，６２，６３の受信回路６１ｒ，６２ｒ，６３ｒとデータ伝送路４２で接続され、主制御基板４０の出力選択回路５１は前記受信回路６１ｒ，６２ｒ，６３ｒと該受信回路６１ｒ，６２ｒ，６３ｒ毎に個別の伝送路５２，５３，５４で接続され、前記出力選択回路５１はイネーブル信号を出力し、前記受信回路６１ｒ，６２ｒ，６３ｒは前記イネーブル信号に従って伝送データを取り込んで受信するので、前記主制御基板４０の送信回路４１は前記複数の受信回路６１ｒ，６２ｒ，６３ｒと１つのデータ伝送路４２で接続することができる。なお、伝送路５２，５３，５４はイネーブル信号用なので、１ビットのものでよい。
【００１８】
【発明の効果】
本願の第１の発明によれば、遊技機の主制御基板から遊技機の各部分を制御する複数の補助制御基板に１つの伝送路でデータを伝送できるので、伝送路を簡単にできる。更に、主制御基板の大きさが過大になることを防ぐことができるので、遊技機内の限りあるスペースを有効に利用できる。
【００１９】
更に、第２の発明によっても、遊技機の主制御基板から遊技機の各部分を制御する複数の補助制御基板に１つの伝送路でデータを伝送できるので、伝送路を簡単にできる。更に、主制御基板の大きさが過大になることを防ぐことができるので、遊技機内の限りあるスペースを有効に利用できる。
【００２０】
更に、第３の発明によっても、遊技機の主制御基板から前記複数の補助制御基板に１つの伝送路でデータを伝送できるので、伝送路を簡単にできる。なお、この場合、イネーブル信号用伝送路は、１ビットですむので、簡単なものになる。更に、主制御基板の大きさが過大になることを防ぐことができるので、遊技機内の限りあるスペースを有効に利用できる。
【図面の簡単な説明】
【図１】
本願発明の第１の実施の形態を示すブロック図である。
【図２】
前記第１の実施の形態に使用するデータフォーマットの説明図である。
【図３】
本願発明の第２の実施の形態を示すブロック図である。
【図４】
従来例を示すブロック図である。
【符号の説明】
１０  主制御基板
１１  送信回路
１２  データ伝送路
２１  制御基板Ａ
２１ｒ  受信回路
２２  制御基板Ｂ
２２ｒ  受信回路
２３  制御基板Ｃ
２３ｒ  受信回路
３１  アドレス
３２  伝送データ
４０  主制御基板
４１  送信回路
４２  データ伝送路
５１  出力選択回路
６１  制御基板Ａ
６１ｒ  受信回路
６２  制御基板Ｂ
６２ｒ  受信回路
６３  制御基板Ｃ
６３ｒ  受信回路